(57)【要約】【課題】挿通された長尺状部材の振り分け配索作業を容易とすると共に、被取付け体の開口部への挿入作業性を向上させることができる良好なグロメットを提供する。【解決手段】グロメット２０は、環状に形成した硬質材からなるインナー３１の外周部に、筒状に形成した軟質材からなるアウター３３を嵌着した後、該アウター３３がボックス本体に形成された開口部に嵌入され、複数のワイヤーハーネスが挿通される。インナー３１の周壁部３２の内面に両端が接続された仕切部４１を形成して該インナー３１の内穴４３を分割すると共に、分割された各内穴４３ａ，４３ｂを包囲するインナー３１の周壁部３２ａ，３２ｂに薄肉ヒンジ部４５及び結合部４７を設け、内穴４３ａ，４３ｂをそれぞれ開放自在とする。【選択図】　　　　図１
2004072872.tif 000002
【特許請求の範囲】
【請求項１】
環状に形成した硬質材からなるインナーの外周部に、筒状に形成した軟質材からなるアウターを嵌着した後、該アウターが被取付け体に形成された開口部に嵌入され、複数の長尺状部材が挿通されるグロメットであって、
前記インナーの周壁部内面に両端が接続された仕切部を形成して該インナーの内穴を分割すると共に、分割された各内穴を包囲する前記インナーの周壁部に薄肉ヒンジ部及び結合部を設け、前記内穴をそれぞれ開放自在としたことを特徴とするグロメット。
【請求項２】
前記アウターが、前記被取付け体の端縁に切欠き形成された前記開口部の開放側から挿入されると共に、前記インナーの仕切部が、前記アウターの挿入方向と平行な方向に延在して形成されていることを特徴とする請求項１に記載のグロメット。
【発明の詳細な説明】
【０００１】
【発明の属する技術分野】
本発明は、環状に形成した硬質材からなるインナーの外周部に、筒状に形成した軟質材からなるアウターが嵌着されたグロメットの改良に関する。
【０００２】
【従来の技術】
自動車のエンジンルーム内にヒューズやリレーやワイヤハーネスの接続コネクタ等の電装品を実装する電気接続箱には、雨滴等によって電装品が汚損したり、障害を発生することがないように、通常、防水ボックスが使用される。
図４に示した防水ボックスとしてのコネクタボックス１は、略箱形のボックス本体２とこのボックス本体２の上部開口を開閉可能に覆う防水カバー３とで複数の接続コネクタを嵌合する為の収容空間を形成している。
【０００３】
前記ボックス本体２の側壁には、収容空間内でコネクタ接続された長尺状部材であるワイヤーハーネスＷを導出するための開口部５が切欠き形成されており、該開口部５は、ワイヤーハーネスＷに外挿したグロメット７を嵌入することにより、コネクタボックス１内部への水等の進入防止を図っている。
【０００４】
前記グロメット７は、図５に示すように、環状に形成した硬質プラスチック等の硬質材からなるインナー９の外周部に、筒状に形成した合成ゴム等の軟質材からなるアウター１１を嵌着して構成されている。
前記インナー９は、周壁部１３に薄肉ヒンジ部１５，１５及び結合部１７が形成されており、前記アウター１１から外した状態では、結合部１７の結合を解除することで、該インナー９の内穴１９を開放自在とされている。
【０００５】
そこで、前記グロメット７を前記コネクタボックス１に装着する際には、先ず、複数の接続コネクタ１６が端部に接続されたワイヤーハーネスＷを予めアウター１１に挿通しておき、次いで開放したインナー９の内穴１９にワイヤーハーネスＷを入れた後、結合部１７をロックして接続する。
次いで、環状となったインナー９の外周にアウター１１を嵌着してワイヤーハーネスＷへのグロメット７の取り付けを完了させた後、該グロメット７のアウター１１をコネクタボックス１の開口部５に挿着する。
【０００６】
【発明が解決しようとする課題】
しかしながら、上述した従来のグロメット７は、図６に示したように、環状となったインナー９の内穴１９に、複数の接続コネクタ１６が端部に接続されたワイヤーハーネスＷを一つの束の状態で収容しており、端部に接続された複数の各接続コネクタ１６が、コネクタボックス１内に装着した所定の相手コネクタ１８の配設位置に全く対応していない。
【０００７】
そこで、前記グロメット７を開口部５に取付けた後、各ワイヤーハーネスＷのほぐし・くせつけ作業等を行って、各接続コネクタ１６を相手コネクタ１８の配設位置に振り分ける振り分け配索作業が必要となり、迅速なコネクタ嵌合ができず、組み付け作業性を低下させるという問題があった。
【０００８】
また、前記グロメット７の開口部５への挿入作業時に、インナー９の周壁部１３に過大な挿入押圧力を加えると、該インナー９が変形したり、結合部１７が外れ易くなる虞があり、慎重な挿入作業が要求されていた。
従って、本発明の目的は上記課題を解消することに係り、挿通された長尺状部材の振り分け配索作業を容易とすると共に、被取付け体の開口部への挿入作業性を向上させることができる良好なグロメットを提供することである。
【０００９】
【課題を解決するための手段】
本発明の上記目的は、環状に形成した硬質材からなるインナーの外周部に、筒状に形成した軟質材からなるアウターを嵌着した後、該アウターが被取付け体に形成された開口部に嵌入され、複数の長尺状部材が挿通されるグロメットであって、前記インナーの周壁部内面に両端が接続された仕切部を形成して該インナーの内穴を分割すると共に、分割された各内穴を包囲する前記インナーの周壁部に薄肉ヒンジ部及び結合部を設け、前記内穴をそれぞれ開放自在としたことを特徴とするグロメットにより達成される。
【００１０】
上記構成によれば、インナーの内穴に通す複数本の長尺部材を予め所定の内穴毎に仕分けた状態で入れることができるので、これら複数本の長尺部材を挿通させたグロメットを被取付け体の開口部に取付けた後には、ほぐし・くせつけ作業等を行なって各長尺部材を所定方向に振り分ける振り分け配索作業が容易となる。
【００１１】
又、好ましくは前記アウターが、前記被取付け体の端縁に切欠き形成された前記開口部の開放側から挿入されると共に、前記インナーの仕切部が、前記アウターの挿入方向と平行な方向に延在して形成される。
この場合、前記仕切部は、インナーの周壁部に対して挿入押圧力の加わる方向に延在しており、グロメットを被取付け体の開口部に挿入する際に、インナーの周壁部に対して挿入押圧力が作用しても、挿入押圧力がこの仕切部によって受けられ、インナーに変形や結合部の外れが生じ難くなる。
【００１２】
【発明の実施の形態】
以下、添付図面に基づいて本発明の一実施形態に係るグロメットを詳細に説明する。
図１は本発明の一実施形態に係るグロメットの全体斜視図、図２及び図３は図１に示したグロメットをコネクタボックスに取付ける際の作用を説明する為の斜視図及び正面図である。
【００１３】
本実施形態に係るグロメット２０が装着されるコネクタボックス１は、図４に示したコネクタボックス１と同様であり、略箱形のボックス本体２とこのボックス本体２の上部開口を開閉可能に覆う防水カバー３とで複数の接続コネクタを嵌合する為の収容空間を形成している。
【００１４】
本実施形態に係るグロメット２０は、図１に示すように、環状に形成した硬質プラスチック等の硬質材からなるインナー３１の外周部に、筒状に形成した合成ゴム等の軟質材からなるアウター３３を嵌着して構成されている。
前記アウター３３は、一端側の大開口部３５と、他端側の小開口部３７とを扁平なテーパ状の筒胴部３９によって連続して一体に形成している。
【００１５】
前記大開口部３５の内周部は、前記インナー３１の外形に嵌合する形状となっており、前記小開口部３７の内径は、挿通されるワイヤーハーネスＷの外径に対応する内径となっている。
そして、前記大開口部３５のフランジ部外周が、ボックス本体２の側壁端縁に切欠き形成された開口部５の開口縁に挿入嵌合する。
【００１６】
前記インナー３１は、周壁部３２の内面に両端が接続されるようにして仕切部４１が形成されており、該インナー３１の内穴４３を内穴４３ａと内穴４３ｂとに二分割している。又、分割された各内穴４３ａ，４３ｂを包囲するインナー３１の周壁部３２ａ，３２ｂに薄肉ヒンジ部４５及び結合部４７を設け、これら内穴４３ａ，４３ｂをそれぞれ開放自在としている。
前記結合部４７としては、例えば分断した周壁部３２ａ（又は３２ｂ）の一端に嵌合凹部を形成し、他端にはこの嵌合凹部に弾性的に係脱可能な嵌合凸部を形成する構造とすることができる。
【００１７】
次に、上述のように構成したグロメット２０の作用を説明する。
先ず、前記グロメット２０を前記コネクタボックス１に装着する際には、複数の接続コネクタ５３（５３Ａ，５３Ｂ・・・，５３Ｇ）が端部に接続されたワイヤーハーネスＷを予めアウター３３に挿通しておき、次いで開放したインナー３１の各内穴４３ａ，４３ｂにワイヤーハーネスＷを入れる。
【００１８】
この際、ワイヤーハーネスＷの先端に接続したそれぞれの接続コネクタ５３が、ボックス本体２に装着したそれぞれの相手コネクタ５１に対応するように、該ワイヤーハーネスＷを仕分けして各内穴４３ａ，４３ｂに入れる。
即ち、前記ボックス本体２の収容空間には、四角枠状に区画した複数のコネクタ収容部４９Ａ，４９Ｂ，４９Ｃ，４９Ｄ，４９Ｅ，４９Ｆ，４９Ｇが形成されている。
【００１９】
そして、コネクタ収容部４９Ａには相手コネクタ５１Ａ，５１Ａを、コネクタ収容部４９Ｂには相手コネクタ５１Ｂを、コネクタ収容部４９Ｃには相手コネクタ５１Ｃを、コネクタ収容部４９Ｄには相手コネクタ５１Ｄを、コネクタ収容部４９Ｅには相手コネクタ５１Ｅを、コネクタ収容部４９Ｆには相手コネクタ５１Ｆを、コネクタ収容部４９Ｇには相手コネクタ５１Ｇを装着している。
【００２０】
従って、図２に示したように、前記グロメット２０をボックス本体２の開口部５に嵌着した状態において、コネクタ収容部４９Ａ，４９Ｂ，４９Ｃ，４９Ｄ寄りに位置する内穴４３ａには、相手コネクタ５１Ａ，５１Ａ，５１Ｂ，５１Ｃ，５１Ｄに結合する接続コネクタ５３Ａ，５３Ａ，５３Ｂ，５３Ｃ，５３Ｄが接続されたワイヤーハーネスＷを入れ、コネクタ収容部４９Ｅ，４９Ｆ，４９Ｇ寄りに位置する内穴４３ｂには、相手コネクタ５１Ｅ，５１Ｆ，５１Ｇに結合する接続コネクタ５３Ｅ，５３Ｆ，５３Ｇが接続されたワイヤーハーネスＷを入れる。
【００２１】
次いで、それぞれの内穴４３ａ，４３ｂの結合部４７をロックして接続し、環状となったインナー３１の外周部にアウター３３を嵌着してワイヤーハーネスＷへの取り付けを完了させた後、図３に示すように、グロメット２０を前記開口部５の開放側（図中、上側）から挿入してボックス本体２に嵌着する。
【００２２】
その後、前記接続コネクタ５３Ａ〜５３Ｇを、ボックス本体２側の所定の相手コネクタ５１Ａ〜５１Ｇへコネクタ嵌合し、ボックス本体２に防水カバー３を固定して、コネクタボックス１の組み付けを完了する。
【００２３】
即ち、上述の如き本実施形態のグロメット２０によれば、ボックス本体２内における相手コネクタ５１Ａ〜５１Ｇの配設位置に応じて、インナー３１の内穴４３に通す複数本のワイヤーハーネスＷを予め所定の内穴４３ａ，４３ｂ毎に仕分けた状態で入れることができるので、複数本のワイヤーハーネスＷを挿通させたグロメット２０をボックス本体２の開口部５に取付けた後に、ほぐし・くせつけ作業等を行なって各ワイヤーハーネスＷを所定方向に振り分ける振り分け配索作業が容易となる。
【００２４】
そこで、各ワイヤーハーネスＷの先端に取付けた接続コネクタ５３Ａ〜５３Ｇと相手コネクタ５１Ａ〜５１Ｇとの迅速なコネクタ嵌合が可能となり、組み付け作業性を向上させることができる。
【００２５】
又、本実施形態に係るグロメット２０は、前記アウター３３が、ボックス本体２の側壁端縁に切欠き形成された前記開口部５の開放側から挿入されると共に、前記インナー３１の仕切部４１が、前記アウター３３の挿入方向と平行な方向に延在して形成されている。
【００２６】
即ち、前記仕切部４１は、図１に示したように、インナー３１の周壁部３２に対して挿入押圧力の加わる方向に延在している。
そこで、作業者がグロメット２０をボックス本体２の開口部５に挿入する際、図３に示したように、グロメット２０の上縁側を押し下げて、インナー３１の周壁部３２のに対して過大な挿入押圧力Ｆ（図中、矢印）を作用させても、この挿入押圧力Ｆが前記仕切部４１によって受けられるので、インナー３１の上側の周壁部３２は永久変形し難くなり、結合部４７のロックも外れ難くなる。
【００２７】
従って、前記グロメット２０をボックス本体２の開口部５に挿入する際に、作業者は挿入押圧力を加減しながら作業する必要がなく、挿入作業性を向上させることができる。
【００２８】
尚、本発明のグロメットにおけるインナー、アウター、被取付け体、長尺部材、仕切部、薄肉ヒンジ部、及び結合部等の構成は、上記実施形態の構成に限定されるものではなく、本発明の趣旨に基づいて種々の形態を採りうることは云うまでもない。
例えば、上記実施形態のグロメット２０は、被取付け体としてのコネクタボックス１に装着されるグロメットであるが、ヒューズボックス等の他の被取付け体に装着されるものでも良い。又、長尺状部材としても、上記実施形態のワイヤーハーネスＷの他、チューブやケーブル等も考えられる。
【００２９】
【発明の効果】
以上詳細に説明したように、本発明のグロメットによれば、インナーの内穴に通す複数本の長尺部材を予め所定の内穴毎に仕分けた状態で入れることができるので、これら複数本の長尺部材を挿通させたグロメットを被取付け体の開口部に取付けた後には、ほぐし・くせつけ作業等を行なって各長尺部材を所定方向に振り分ける振り分け配索作業が容易となる。
【００３０】
更に、アウターが、被取付け体の端縁に切欠き形成された開口部の開放側から挿入されると共に、インナーの仕切部が、アウターの挿入方向と平行な方向に延在して形成される場合には、グロメットを被取付け体の開口部に挿入する際に、インナーの周壁部に対して挿入押圧力が作用しても、挿入押圧力がこの仕切部によって受けられ、インナーに変形や結合部の外れが生じ難くなる。
従って、挿通された長尺状部材の振り分け配索作業を容易とすると共に、被取付け体の開口部への挿入作業性を向上させることができる良好なグロメットを提供できる。
【図面の簡単な説明】
【図１】本発明の一実施形態に係るグロメットの全体斜視図である。
【図２】図１に示したグロメットをコネクタボックスに取付ける際の作用を説明する為の斜視図である。
【図３】図１に示したグロメットをコネクタボックスに取付ける際の作用を説明する為の正面図である。
【図４】グロメットを取付けたコネクタボックスの全体斜視図である。
【図５】従来のグロメットの全体斜視図である。
【図６】図５に示したグロメットをコネクタボックスに取付ける際の問題点を説明する為の斜視図である。
【符号の説明】
２　　ボックス本体（被取付け体）
５　　開口部
２０　　グロメット
３１　　インナー
３２　　周壁部
３３　　アウター
４１　　仕切部
４３　　内穴
４３ａ　内穴
４３ｂ　内穴
４５　　薄肉ヒンジ部
４７　　結合部
Ｗ　　ワイヤーハーネス（長尺状部材）
【図１】
2004072872.tif 000003
【図２】
2004072872.tif 000004
【図３】
2004072872.tif 000005
【図４】
2004072872.tif 000006
【図５】
2004072872.tif 000007
【図６】
2004072872.tif 000008